(57)【特許請求の範囲】
【請求項１】
非圧縮形式のディジタルオーディオデータと圧縮形式のディジタルオーディオデータを送信可能なオーディオ送信装置であって、
ディジタルオーディオデータを当該ディジタルオーディオデータの識別子（識別情報）と共に所定のデータ形式で送出するデータ送出手段を備え、
前記データ送出手段は、前記識別子が非圧縮形式のディジタルオーディオデータを示す識別子から圧縮形式のディジタルオーディオデータを示す識別子に遷移する所定の時間、他の識別子に遷移する遷移期間を示す無音識別子を含むデータを出力するものであり、前記無音識別子を含むデータは、ディジタルオーディオデータを格納する所定のデータ領域を有し、当該データ領域には当該データが非圧縮形式のディジタルオーディオデータであるとした場合、略ゼロデータに相当するデータが格納されることを特徴とするオーディオ送信装置。
【請求項２】
非圧縮形式のディジタルオーディオデータと圧縮形式のディジタルオーディオデータを所定のデータ形式で受信可能なオーディオ受信装置であって、
受信した前記データをディジタルオーディオデータと当該ディジタルオーディオデータの識別子（識別情報）に分離するデータ分離手段と、
前記データ分離手段の出力したデータをもとに当該識別子が無音識別子かどうかを判別する第１の識別子判別手段と、
前記データ分離手段の出力した複数のデータをもとにオーディオデータが非圧縮形式のデータか圧縮形式のデータかを判別する第２の識別子判別手段と、
前記第1の識別子判別手段の結果が無音識別子である場合、または前記第２の識別子判別手段の結果が圧縮形式のディジタルオーディオデータを示す識別子の場合にはデータ復号手段を介して出力し、非圧縮形式のディジタルオーディオデータを示す識別子の場合にはディジタルオーディオデータをそのまま出力する
ことを特徴とするオーディオ受信装置。
【請求項３】
前記第１の識別子判別手段は、受信したデータ中の１つのサブフレームから当該識別子が、無音識別子かどうかを判別するものであり、
前記第２の識別子判別手段は、受信したデータ中の複数のサブフレームから当該識別子が、非圧縮形式のディジタルオーディオデータを示す識別子か圧縮形式のディジタルオーディオデータを示す識別子かどうかを判別するものである
ことを特徴とする請求項２に記載のオーディオ受信装置。
【請求項４】
前記第１の識別子判別手段が識別子は無音識別子であると判別した場合、直ちに当該オーディオ受信装置のオーディオ出力をミュートすることを特徴とする請求項２または３に記載のオーディオ受信装置。
【発明の詳細な説明】
【０００１】
【発明の属する技術分野】
本発明は、例えばＩＥＥＥ１３９４など所定の伝送路によってディジタルデータを伝送するオーディオ送信装置及びオーディオ受信装置に関する。
【０００２】
【従来の技術】
近年、ディジタル電子機器間でのディジタル信号伝送を行うことが一般的になってきている。ディジタルオーディオデータを伝送する規格としてはＩＥＣ６０９５８が存在するが、近年マルチメディア用途に向いた伝送規格として、ＩＥＥＥ１３９４が規格化された。更に、ＩＥＥＥ１３９４バス上にディジタルオーディオデータとＭＩＤＩ（Musical Instrument Digital Interface）を伝送するプロトコルが、１３９４トレードアソシエーションによって「Audio and Music Data Transmission Protocol（以下、Ａ／Ｍプロトコルと記す）」として規格化され、その中でＩＥＣ６０９５８フォーマットのオーディオデータを伝送する規格が規定されている。このＡ／Ｍプロトコルは、ＩＥＣ６１８８３で定義されるＣＩＰ（Common Isochronous Packet）を用いている。
【０００３】
図３にＣＩＰの構成を示す。ＣＩＰは、パケットヘッダ、データフィールド、データＣＲＣで構成されており、更にデータフィールドはＣＩＰヘッダとデータブロックに分かれている。伝送するデータはデータブロック内に挿入することになるが、その中で、８ビットのラベル（ＬＡＢＥＬ）と２４ビットのデータという構成になっているものはＡＭ８２４データと呼ばれ、ＩＥＣ６０９５８フォーマットデータはＡＭ８２４データの一種として分類される。
【０００４】
図４にＡＭ８２４データの構成及びＬＡＢＥＬの内容を示す。Ａ／ＭプロトコルＶｅｒ．１でのＬＡＢＥＬの内容は、ＩＥＣ６０９５８、Ｒａｗ  Ａｕｄｉｏ、ＭＩＤＩとなっている。なお、Ｒａｗ  Ａｕｄｉｏとはアナログオーディオデータをそのままディジタル化するものであり、付属情報などが存在しない生のデータのことである。
【０００５】
図５にＩＥＣ６０９５８フォーマットのときのＡＭ８２４データの構成を示す。ＩＥＣ６０９５８フォーマットの場合、２４ビットデータは１サブフレームとなる。なお、オーディオデータの最小単位である１フレームは、２チャンネルステレオの場合、２個のサブフレームで構成される。ＬＡＢＥＬの上位２ビットが共に０の場合、すなわちＬＡＢＥＬの値が００ｈ〜３Ｆｈの場合がＩＥＣ６０９５８フォーマットとなっており、そのときの下位６ビットの構成が図５のようになる。
【０００６】
ＩＥＣ６０９５８フォーマットのオーディオデータは、リニアＰＣＭデータまたは、圧縮処理されたオーディオデータなどのノンリニアＰＣＭデータである。これを再生するには、オーディオデータに付加された識別子Ａまたは識別子Ｂを判別し、リニアＰＣＭ（識別子Ａ）かノンリニアＰＣＭ（識別子Ｂ）に対応した処理方式を選択して処理を行う。この識別子は、チャネルステータスデータ内に割り当てられており、チャネルステータスデータは１９２フレーム分のチャネルステータスビットによって構成されている。すなわち、オーディオデータの種類を判別するには、１９２フレーム分のデータを必要とする。しかし、ＣＩＰ１個には、数フレーム分しか付加することができないため、１９２フレームを取得するには、数十パケットが必要になる。言い換えるとオーディオデータの種類を判別するには、１９２フレーム分の時間遅れを生じる。
【０００７】
【発明が解決しようとする課題】
このため、伝送されたディジタルオーディオデータがリニアＰＣＭデータからノンリニアＰＣＭデータに変化する際に、識別子の判別が遅れる間ノイズを出してしまうという問題がある。さらに、これを防ぐため識別子を判別するまでのデータを蓄積する場合には、大容量のメモリが必要になり蓄積時間の遅延が生じるなどの問題があった。
【０００８】
図６にディジタルオーディオデータがリニアＰＣＭデータからノンリニアＰＣＭデータに変化する際のタイミングチャートを示す。図６のように、受信側が遷移後の識別子を判別するまでの１９２フレームの間、ノイズが発生してしまうことになる。
【０００９】
本発明は上記従来の問題点を解決するもので、伝送するオーディオデータの種類変化に対応してメモリなしでノイズを防止できるオーディオ送信装置及びオーディオ受信装置を提供することを目的とする。
【００１０】
【課題を解決するための手段】
この目的を達成するために本発明のオーディオ送信装置及びオーディオ受信装置は、少なくともディジタルオーディオデータ及び前記ディジタルオーディオデータの識別子（または識別情報）を送出するデータ送出手段と、所定伝送路で出力されたデータの識別子を判別する識別子判別手段と、識別子判別手段の結果に応じてディジタルオーディオデータの処理方式を選択するデータ処理選択手段との構成を有している。
【００１１】
【発明の実施の形態】
以下、本発明の実施の形態について、図面を参照しながら説明する。
【００１２】
（実施の形態１）
図１は、本発明の実施の形態１によるオーディオ送信装置及びオーディオ受信装置の構成を示すブロック図である。
【００１３】
図１において、１はオーディオ送信装置の一例として、ＤＶＤ（Digital Video Disc）を再生し、少なくともディジタルオーディオ出力を伝送路としてのＩＥＥＥ１３９４バスに出力するＤＶＤプレーヤ、２はオーディオ受信装置の一例として、ＩＥＥＥ１３９４バスに出力されたディジタルオーディオデータを再生するアンプ、３はＤＶＤからディジタルオーディオデータ及びディジタルオーディオデータの管理情報を再生するデータ再生手段、４はデータ再生手段３の出力制御を行う制御手段、５はディジタルオーディオデータの管理情報からディジタルオーディオデータの種類を判別し、その結果を識別子（または識別情報）として制御手段４に出力すると共に、識別子をＬＡＢＥＬのフォーマットに変換し、ディジタルオーディオデータにＬＡＢＥＬを付加してＩＥＥＥ１３９４バスに出力する識別子付加手段、６はＩＥＥＥ１３９４バスに出力されたデータをＬＡＢＥＬとディジタルオーディオデータに分離するデータ分離手段、７は１サブフレーム分のＬＡＢＥＬの内容を判別する第１の識別子判別手段、８は１９２フレーム分のチャネルステータスビットを蓄積し、オーディオデータがリニアＰＣＭかノンリニアＰＣＭかを判別する第２の識別子判別手段、９は第１の識別子判別手段７または第２の識別子判別手段８の結果に応じてディジタルオーディオデータの処理方式を選択するデータ処理選択手段、１０はノンリニアＰＣＭデータを復号するデータ復号手段、１１はディジタルオーディオデータをアナログ信号に変換するＤＡコンバータ（以下、Ｄ／Ａと記す）である。
【００１４】
以上のように構成されたオーディオ送信装置及びオーディオ受信装置において、ＤＶＤのオーディオデータをＩＥＣ６０９５８フォーマットでＩＥＥＥ１３９４バスによってアンプに転送し、オーディオ出力をアンプで行う場合のオーディオ伝送動作について、以下説明する。
【００１５】
まず、データ再生手段３はＤＶＤを再生し、オーディオデータを識別子付加手段５に出力する。このときのオーディオデータはリニアＰＣＭデータとする。識別子付加手段５はデータ再生手段３から出力されるオーディオデータの管理情報から識別子を識別子Ａとして生成し、識別子を制御手段４に出力すると共に、識別子をＬＡＢＥＬのフォーマットに変換し、ＬＡＢＥＬをオーディオデータに付加してＩＥＥＥ１３９４バスに出力する。
【００１６】
今、データ再生手段３で再生しているＤＶＤのオーディオデータが、リニアＰＣＭデータからノンリニアＰＣＭデータに変化したとする。このとき制御手段４は、識別子付加手段５から出力される識別子から変化を検出し、データ再生手段３のオーディオ出力を停止する。停止手段としては、幾通りかの方法が考えられるが、ここではＤＶＤ再生動作の停止を行うとする。そして、識別子付加手段５は、無音識別子を付加した略ゼロデータを出力する。それから所定時間後、例えば３０msec後にノンリニアＰＣＭデータの先頭からのオーディオ出力を開始する。
【００１７】
無音識別子Ｃは、本発明で新たに追加した識別子で、割り当ては、例えばＬＡＢＥＬで現在空き領域（Reserved）となっている値、ここではＣ１ｈとする。
【００１８】
また、無音識別子Ｃは所定のデータ領域を有し、データ領域はＭＳＢ側の１６ビットを“０”で埋め、残りのＬＳＢ側８ビットにはサブラベルをアサインして用途を明確にする。ＭＳＢ側の１６ビットを“０”とすると−９６ｄＢ以下の微小レベルとすることができるので、仮に切り替えタイミングが遅れてそのままのデータがリニアＰＣＭとして出力されたとしても実害はない。サブラベルは無音識別子Ｃを他の用途にも共用するので例えば、チャンネル数のアライメントの目的でダミーチャンネルとする場合や、低レートアプリと高レートアプリを同時伝送する場合に低レート側に無音データを付加して高レートに合わせる場合などに、帰属するアプリの識別用に使用するものである。
【００１９】
このようにして、ＤＶＤプレーヤなど、データを出力するブロックでは、オーディオデータがリニアＰＣＭデータからノンリニアＰＣＭデータに変化する際には、所定時間、無音識別子Ｃを付加した略ゼロデータを間に挟んでＩＥＥＥ１３９４バスに出力するようにする。
【００２０】
一方、ＩＥＥＥ１３９４バスからデータを受信するアンプ側は、まずデータ分離手段６では、ＬＡＢＥＬとオーディオデータとを分離し、ＬＡＢＥＬは第１の識別子判別手段７へ、オーディオデータはデータ処理選択手段９へ出力する。第１の識別子判別手段７は１サブフレーム分のＬＡＢＥＬの内容を判別し、その結果をデータ処理選択手段９へ出力すると共に、ＬＡＢＥＬがＩＥＣ６０９５８フォーマットの場合は、ＬＡＢＥＬの内容を第２の識別子判別手段８へ出力する。第２の識別子判別手段８は、ＬＡＢＥＬからチャネルステータスビットを抜き出し、１９２フレーム分蓄積してチャネルステータスデータを作成した後、オーディオデータがリニアＰＣＭデータかノンリニアＰＣＭデータかを判別し、その結果をデータ処理選択手段９に出力する。そしてデータ処理選択手段９は、第１の識別子判別手段７の結果が無音識別子Ｃの場合、または第２の識別子判別手段８の結果がノンリニアＰＣＭデータの場合はオーディオデータの出力をデータ復号手段１０の方へ設定し、第２の識別子判別手段８の結果がリニアＰＣＭデータの場合はオーディオデータの出力をＤ／Ａ１１の方へ設定する。
【００２１】
今、ＩＥＥＥ１３９４バスから出力されたオーディオデータが、リニアＰＣＭデータから無音識別子付きの略ゼロデータに変化した場合、第１の識別子判別手段７は、ＬＡＢＥＬから無音識別子を検出し、その結果をデータ処理選択手段９に出力する。このときデータ処理選択手段９は、これがリニアＰＣＭからノンリニアＰＣＭへの移行を示す、と判断できる。
【００２２】
図７に実施の形態１における、ディジタルオーディオデータがリニアＰＣＭデータからノンリニアＰＣＭデータに変化する際のタイミングチャートを示す。図７のように、無音識別子のオーディオデータは略ゼロデータであるため、識別子を間違ってリニアＰＣＭのままとしても大きなノイズは発生しない。
【００２３】
このように無音識別子付き略ゼロデータを検出することによって、モード遷移を含む切り替えの状態であることを認識でき、ノンリニアＰＣＭデータの初期化やデコード出力が得られるまでのミュート処理を的確に実施し得る。また付属のデータそのものも略ゼロであるため、ＰＣＭデータと誤って再生してしまってもノイズ発生を最小限に抑制できる。
【００２４】
以上のように、本実施の形態によれば、送信側は、オーディオデータがリニアＰＣＭデータからノンリニアＰＣＭデータに変化する際には、所定時間、無音識別子を付加した略ゼロデータを間に挟んでＩＥＥＥ１３９４バスに出力し、受信側は、無音識別子を検出したらデータ処理選択をノンリニアＰＣＭ側に設定することによって、伝送されたディジタルオーディオデータの種類変化への速やかな対応を実現できる。
【００２５】
（実施の形態２）
図２は本発明の実施の形態２によるオーディオ送信装置及びオーディオ受信装置の構成を示すブロック図である。図２において、１〜５、７〜１１は実施の形態１を示す図１の構成と同様なものである。図１と異なるのは、第１の識別子判別手段７の出力に応じてＤ／Ａ１１の出力とゼロレベルを選択するデータ出力選択手段１２を設けた点と、第１の識別子判別手段７は判別結果をデータ処理選択手段９及びデータ出力選択手段１２に対して出力する点である。
【００２６】
なお、実施の形態２において、請求項に記載されたデータ処理選択手段は、データ処理選択手段９及びデータ出力選択手段１２を合わせたものに相当する。
【００２７】
以上のように構成された実施の形態２のオーディオ送信装置及びオーディオ受信装置において、以下その動作を説明する。
【００２８】
まず、ＤＶＤプレーヤ１側の動作であるが、これは実施の形態１と同様であるので、ここでは説明を割愛する。次にアンプ２側の動作であるが、ＩＥＥＥ１３９４バスから出力されたオーディオデータが、リニアＰＣＭデータから無音識別子付きの略ゼロデータに変化した場合、第１の識別子判別手段７は、ＬＡＢＥＬから無音識別子を検出し、その結果をデータ処理選択手段９及びデータ出力選択手段１２に出力する。データ出力選択手段１２は、データ出力としてミュートを選択する。そして、無音識別子Ｃでなくなったときに、Ｄ／Ａ１１の出力を選択してデミュートする。
【００２９】
これは、略ゼロデータだと完全な無音にならないため、無音識別子を検出した時点で最終段のオーディオ出力をミュートすることが確実に無音とする手段となるからである。
【００３０】
図８に実施の形態２における、ディジタルオーディオデータがリニアＰＣＭデータからノンリニアＰＣＭデータに変化する際のタイミングチャートを示す。図８のように、無音識別子を検出するのは早いので遅延はほとんど生じないが、無音識別子のオーディオデータは略ゼロデータであるため、識別子がリニアＰＣＭのままでも大音量のノイズは発生しない。さらに、無音識別子を検出した時点で、データ出力選択手段１２は、データ出力としてミュートを選択するため、無音識別子の検出遅延時間を除いて、確実に無音出力となる。
【００３１】
以上のように、本実施の形態によれば、受信側は、無音識別子を検出したらオーディオデータ出力をミュートすることによって、ノンリニアＰＣＭデータの種類によらず、確実にノイズを防止し、且つ伝送されたディジタルオーディオデータの種類変化への速やかな対応を実現できる。
【００３２】
なお、実施の形態１及び２において、オーディオデータがリニアＰＣＭデータからノンリニアＰＣＭデータに変化するとしたが、ノンリニアＰＣＭデータからリニアＰＣＭデータに変化してもよい。
【００３３】
また、実施の形態１及び２において、データ処理選択手段をデータ信号手段の前段としたが、データ信号手段とＤ／Ａの間に設置しても良い。
【００３４】
また、実施の形態１及び２において、無音識別子及び略ゼロデータの送信時にはＤＶＤプレーヤを停止させるとしたが、停止させずに無音識別子及び略ゼロデータを送信しても良い。
【００３５】
また、実施の形態１及び２において、無音識別子の割り当てをＬＡＢＥＬとしたが、それ以外の場所、例えばＣＩＰヘッダの未使用領域を割り当てても良い。
【００３６】
また、実施の形態１及び２において、送信機器をＤＶＤプレーヤとしたが、それ以外の機器でも良い。
【００３７】
また、実施の形態２において、データ出力選択手段をＤ／Ａの後段にしたが、Ｄ／Ａの前段としても良い。
【００３８】
また、実施の形態ではデータ処理選択手段９とデータ出力選択手段１２とに分割したが、これらを合体してストレート出力と復号手段出力とミュート出力の３つの出力から１つを選択するようにしても良い。
【００３９】
また、ミュートはフェードアウトおよびフェードインのソフトミュートとするのがショック音を防止でき好都合である。
【００４０】
そのた本発明の趣旨を変えずに構成し得る全ての変形を含むものとする。
【００４１】
【発明の効果】
以上のように本発明は、送信側では、オーディオデータの種類が変化する際に、無音識別子及び略ゼロデータを所定時間挿入するので、受信側で無音識別子を検出して適切なミュートを行うとともに、デコード処理の初期化が確実に実施でき、従来問題であったノイズ発生を完全に防止できる。
【図面の簡単な説明】
【図１】本発明の実施の形態１におけるオーディオ送信装置及びオーディオ受信装置の構成を示すブロック図
【図２】本発明の実施の形態２におけるオーディオ送信装置及びオーディオ受信装置の構成を示すブロック図
【図３】ＩＥＥＥ１３９４でのＣＩＰの構成を示す図
【図４】Ａ／ＭプロトコルにおけるＡＭ８２４データの構成及びＬＡＢＥＬの内容を示す図
【図５】データがＩＥＣ６０９５８フォーマットのときのＡＭ８２４データの構成を示す図
【図６】従来例における、ディジタルオーディオデータがリニアＰＣＭデータからノンリニアＰＣＭデータに変化する際のタイミングを示す図
【図７】実施の形態１における、ディジタルオーディオデータがリニアＰＣＭデータからノンリニアＰＣＭデータに変化する際のタイミングを示す図
【図８】実施の形態２における、ディジタルオーディオデータがリニアＰＣＭデータからノンリニアＰＣＭデータに変化する際のタイミングを示す図
【符号の説明】
３  データ再生手段
４  制御手段
５  識別子付加手段
７  第１の識別子判別手段
８  第２の識別子判別手段
９  データ処理選択手段
１２  データ選択手段
【図１】
0003697967.tif 000002
【図２】
0003697967.tif 000003
【図３】
0003697967.tif 000004
【図４】
0003697967.tif 000005
【図５】
0003697967.tif 000006
【図６】
0003697967.tif 000007
【図７】
0003697967.tif 000008
【図８】
0003697967.tif 000009